(57)【要約】【課題】  微小燃焼運転時に前パネル表面に沿って上昇する温風により、人体検出手段が人を誤検知するのを防止できる温風暖房機を提供する。【解決手段】  温風吹出口９が形成された前パネル３と、上面板４と、側面及び背面を覆う背面板５を置き台６上に固定して構成した枠体２内に、カートリッジ式タンク１８と略並列にバーナ部１４を設け、バーナ部１４の燃焼ガスと対流ファン１１の空気を混合した温風をバーナ部１４前方に形成した温風通過部２４を通過させて温風吹出口９から吹き出すと共に、人体検出手段２５を備えた温風暖房機で、人体検出手段２５を温風通過部２４の略対角線上で枠体２前面の上方に設けたので、省エネ運転時の微小燃焼により温風吹出口９からの温風が枠体２の前面の表面に沿って上昇しても、人体検出手段２５の検知に影響を与えず、人体検出手段２５が人の存在を誤検知するのを防止できるものである。【選択図】  図３
2017040433.tif 000002
【特許請求の範囲】
【請求項１】
温風吹出口が形成され前面を覆う前パネルと、上面を覆う上面板と、側面及び背面を覆う背面板とを置き台の上に固定して構成されている枠体内に、液体燃料を供給するカートリッジ式タンクと、該カートリッジ式タンクと略並列にバーナ部を設け、該バーナ部での燃焼ガスと枠体背面に取り付けられた対流ファンからの空気を混合して温風とし、その温風をバーナ部前方に形成された温風通過部を通過させて前パネルの温風吹出口から吹き出すと共に、人感センサで構成された人体検出手段を備えた温風暖房機に於いて、前記人体検出手段は、温風通過部の略対角線上で枠体前面の上方に設けたことを特徴とする温風暖房機。
【請求項２】
前記温風吹出口は前パネルの略中央に横長状に設けると共に、前記温風通過部は、前記温風吹出口の略半分の横幅で温風吹出口の右側又は左側に設け、前記人体検出手段を温風通過部が無い側の枠体前面の上方端部に設けたことを特徴とする請求項１記載の温風暖房機。
【発明の詳細な説明】
【技術分野】
【０００１】
本発明は、本発明は人の存在を検知して燃焼量の制御及び消火を行う温風暖房機に関するものである。
【背景技術】
【０００２】
従来、この種のものに於いては、枠体の前面上部の略中央に人感センサで構成された人体検出手段を設置し、バーナの燃焼中において人体検出手段が人の存在を検知しているときは、燃焼制御手段は温度設定手段に記憶されている温度数値と現在室温の温度数値とを比較し、最適なポンプと燃焼用送風機における燃料流量と供給空気量を指示する通常の燃焼制御運転を行い、一方、人体検出手段が人の存在を検知できない人体不検知の信号を出力し、この状態が所定時間継続すると、燃焼制御手段はポンプと燃焼用送風機の燃料と空気の流量を変更して、バーナの燃焼量を強制的に微小燃焼に変更する制御を行っていた。
【０００３】
また、この状態のときに暖房機から離れていた人が戻ってきて人体検出手段が人の存在を検知すると、燃焼制御手段は温度設定手段に記憶されている温度数値と現在室温の温度数値とを比較し、最適なポンプと燃焼用送風機における燃料流量と供給空気量を指示する本来の燃焼制御運転を再開し、また、バーナの燃焼量が微小燃焼に変更してから更に人体検出手段が人の存在を検知できない状態が所定時間継続すると、燃焼量制御手段はバーナの燃焼を停止し、バーナの燃焼が停止した後は人体検出手段が人の存在を検知しても燃焼は再開せず、また、人体検出手段の人体不検知の信号を出力しても、所定時間継続する前に人体検出手段が人の存在を検知したときには、バーナは通常の運転に復帰する制御を行っていた。
（例えば、特許文献１参照。）
【先行技術文献】
【特許文献】
【０００４】
【特許文献１】特開２００６−２０７９７９号公報
【発明の概要】
【発明が解決しようとする課題】
【０００５】
ところで、この従来のものでは、枠体の前面上部の略中央に人感センサで構成された人体検出手段を設置したため、弱火力運転では枠体の前面に設けた温風吹出し口から吹き出した温風が、枠体の前面の表面に沿って上昇して人感センサに達し、それにより人感センサが人がいないのに人の存在を検知するという誤検知をしてしまうという問題があった。
【課題を解決するための手段】
【０００６】
上記課題を解決するために、本発明の請求項１では、温風吹出口が形成され前面を覆う前パネルと、上面を覆う上面板と、側面及び背面を覆う背面板とを置き台の上に固定して構成されている枠体内に、液体燃料を供給するカートリッジ式タンクと、該カートリッジ式タンクと略並列にバーナ部を設け、該バーナ部での燃焼ガスと枠体背面に取り付けられた対流ファンからの空気を混合して温風とし、その温風をバーナ部前方に形成された温風通過部を通過させて前パネルの温風吹出口から吹き出すと共に、人感センサで構成された人体検出手段を備えた温風暖房機に於いて、前記人体検出手段は、温風通過部の略対角線上で枠体前面の上方に設けたものである。
【０００７】
また、請求項２では、請求項１において、前記温風吹出口は前パネルの略中央に横長状に設けると共に、前記温風通過部は、前記温風吹出口の略半分の横幅で温風吹出口の右側又は左側に設け、前記人体検出手段を温風通過部が無い側の枠体前面の上方端部に設けたものである。
【発明の効果】
【０００８】
この発明の請求項１によれば、バーナ部前方に形成された温風通過部の略対角線上で枠体前面の上方に人体検出手段を設けたので、省エネ運転時の微小燃焼により温風吹出口から吹き出した温風が、枠体の前面の表面に沿って上昇しても、人体検出手段の人感センサの検知に影響を与えないので、微小燃焼により温風吹出口から枠体の前面の前パネル表面に沿って上昇した温風により、人体検出手段が人がいないのに人の存在を検知するという誤検知が発生するのを防止できるものである。
【０００９】
又、請求項２によれば、前記温風吹出口は前パネルの略中央に横長状に設けると共に、前記温風通過部は、前記温風吹出口の略半分の横幅で温風吹出口の右側又は左側に設け、前記人体検出手段を温風通過部が無い側の枠体前面の上方端部に設けたので、省エネ運転時の微小燃焼により温風吹出口から吹き出した温風が、枠体の前面の表面に沿って上昇しても、温風通過部が温風吹出口の略半分の横幅なので、温風が枠体の前面の表面の略半分だけ上昇し、温風通過部が無い側の枠体前面の上方端部に設けた人体検出手段には温風が達しないので、微小燃焼により温風吹出口から枠体の前面の前パネル表面に沿って上昇した温風により、人体検出手段が人がいないのに人の存在を検知するという誤検知が発生するのを確実に防止できるものである。
【図面の簡単な説明】
【００１０】
【図１】この発明の一実施例を付した温風暖房機の正面図。
【図２】同平面図。
【図３】同前パネルを外して可動ルーバーを開状態とした正面図。
【図４】同可動ルーバーを開状態とした斜視図。
【図５】同前パネルを外して可動ルーバーを外した状態の斜視図。
【図６】同バーナ部とカートリッジ式タンクの配置を示す概略図。
【図７】同バーナ部とカートリッジ式タンクの配置を示す平面図。
【図８】同人体検出手段の概略図。
【発明を実施するための形態】
【００１１】
次にこの発明に係る温風暖房機を図面に示す一実施例で説明する。
１は温風暖房機本体で、前記温風暖房機本体１の枠体２は、前面を覆う前パネル３と、上面を覆う上面板４と、側面及び背面を覆う背面板５とを置き台６の上に固定して構成されている。
【００１２】
７は上面前部に備えられた操作部、８は前面上部に備えられた表示部、９は前パネル３に形成された温風を吹き出す温風吹出口、１０は前記温風吹出口９に上下に設けられ、可動して温風吹出口９を開閉すると共に、温風を案内する可動ルーバ、１１は背面の空気取入口１２にファンガード（図示せず）を介して取り付けられた対流ファン、１３は前記空気取入口１２と温風吹出口９とを連通する送風ボックス、１４は前記送風ボックス１３内にバーナヘッド１５を突出して設けられたバーナ部、１６は前記バーナヘッド１５を囲堯して燃焼空間を形成する燃焼筒で、前記バーナ部１４と燃焼筒１６は燃焼筒基板１７に取り付けられ、そのバーナ部１４と燃焼筒１６が取り付けられた燃焼筒基板１７が送風ボックス１３に取り付けられるものである。
【００１３】
そして灯油などの液体燃料を供給するカートリッジ式タンク１８からの燃料を一時的に固定タンク１９に溜め置き、該固定タンク１９内の燃料を送油管２０を介してバーナ部１４へ電磁ポンプ２１が圧送し、燃焼ファン２２により燃焼用空気を送風管２３を介してバーナ部１４へ送風するものである。
【００１４】
前記枠体２内には、正面から見て右側に枠体２から抜き差し自在に設けたカートリッジ式タンク１８が配置されると共に、正面から見て左側にバーナ部１４が位置するように配置されているものである。
又、前記枠体２前部で正面から見て左側に温風通過部２４が形成され、枠体２内に正面から見て左側に配置されているバーナ部１４からの燃焼ガスと、枠体２背面に設けた対流ファン１１により送風された空気とが混合した温風が前記温風通過部２４を通過して温風吹出口９から吹き出すもので、温風吹吹出口９の左側からほとんどの温風が吹き出すものである。
【００１５】
２５は赤外線を検知する人感センサで構成された人体検出手段で、遠赤外線を検知するセンサー部２６と、該センサー部２６を覆う略箱状のカバー部２７と、前記センサー部２６とカバー部２７とが取り付けられる基板部２８とからなり、温風通過部２４と反対の位置、本実施例では温風通過部２４が枠体２前部で正面から見て左側に位置するので、人体検出手段２５は枠体２前部で正面から見て右側の端の上部に配置されているもので、正面から見て表示部８の右側の端に配置されているものである。
【００１６】
次に省エネ運転制御について説明する。
前記操作部７を操作して省エネ運転が行われている時、人体検出手段２５が人の存在を検知しているときは、設定温度と現在室温の温度数値とを比較し、最適な燃料流量と供給空気量を指示する通常の燃焼制御運転を行う。
【００１７】
一方、省エネ運転中において人体検出手段２５が人の存在を検知できない人体不検知の信号を出力し、この状態が所定時間継続すると、バーナ部１４の燃焼量を強制的に微小燃焼に変更する。
また、この状態のときに温風暖房機から離れていた人が戻ってきて人体検出手段２５が人の存在を検知すると、設定温度と現在室温の温度数値とを比較し、最適な燃料流量と供給空気量を指示する本来の燃焼制御運転を再開する。
【００１８】
また、バーナ部１４の燃焼量が微小燃焼に変更してから更に人体検出手段２５が人の存在を検知できない状態が所定時間継続すると、バーナ部１４の燃焼を停止し、バーナ部１４の燃焼が停止した後は人体検出手段２５が人の存在を検知しても燃焼は再開しない。
【００１９】
また、人体検出手段２５の人体不検知の信号を出力しても、所定時間継続する前に人体検出手段２５が人の存在を検知したときには、バーナ部１４は通常の運転に復帰するものであり、たまたま暖房中の部屋に人の不在時間があった場合に、短時間の人の出入りに反応してバーナ部１４の燃焼量が変化することはないものである。
また、この復帰した状態から人体検出手段２５が再び人の不在を検知し、この状態が所定時間継続すればバーナ部１４の燃焼量が微小燃焼に移行するものである。
【００２０】
これにより、省エネ運転時に人体検出手段２５が人の存在を検知できない人体不検知の信号を出力し、この状態が所定時間継続して、燃料と空気の流量を変更して、バーナ部１４の燃焼量を強制的に微小燃焼に変更する制御を行った時、微小燃焼により温風吹出口９から吹き出した温風が、枠体２の前面の表面に沿って上昇しても、図２に示すようにその枠体２の前面の前パネル３の表面に沿って上昇する温風の幅Ａに対して、人体検出手段２５の人感センサのカバー部２７の幅ａは完全に離れていて、枠体２の前面の表面に沿って上昇する温風が人体検出手段２５の人感センサの検知に影響を与えないので、微小燃焼により温風吹出口９から枠体２の前面の前パネル３表面に沿って上昇した温風により、人体検出手段２５が人がいないのに人の存在を検知するという誤検知が発生するのを防止できるものである。
【００２１】
尚、本実施例では温風通過部が枠体２前部で正面から見て左側に位置し、人体検出手段２５は枠体２前部で正面から見て右側の端の上部に配置されているがこれに限定されず、温風通過部が枠体２前部で正面から見て右側に位置し、人体検出手段２５は枠体２前部で正面から見て左側の端の上部に配置されてもよいものである。
【００２２】
又、温風吹出口９から枠体２の前面の前パネル３表面に沿って温風が上昇するのを微小燃焼運転時で説明したがこれに限定されず、火力の切替え時やゴミ詰まりなどで温風の吹出しが悪くなったときでも  温風吹出口９から枠体２の前面の前パネル３表面に沿って温風が上昇するものである。
【符号の説明】
【００２３】
２  枠体
３  前パネル
４  上面板
５  背面板
６  置き台
９  温風吹出口
１１  対流ファン
１４  バーナ部
１８  カートリッジ式タンク
２４  温風通過部
２５  人体検出手段
【図１】
2017040433.tif 000003
【図２】
2017040433.tif 000004
【図３】
2017040433.tif 000005
【図４】
2017040433.tif 000006
【図５】
2017040433.tif 000007
【図６】
2017040433.tif 000008
【図７】
2017040433.tif 000009
【図８】
2017040433.tif 000010